(57)【要約】【課題】運搬中にラッチガイド筒がフロントから容易に外れないこと。【解決手段】中央部に開口を有する金属製のフロントと、このフロントの背面に当接する当接鍔部の前面に突設され、かつ、前記開口に嵌合する矩形枠状嵌合部を有する合成樹脂製のラッチガイド筒とから成る錠ケースのフロント部材に於いて、前記ラッチガイド筒の嵌合部の対向壁にそれぞれ細隙を形成し、これらの細隙が形成された対向壁の弾性復帰変形機能を有する細い縁部分に、前記開口の縁部に摺接係合する僅かな小係合爪を形成したこと。【選択図】  図１
2004339735.tif 000002
【特許請求の範囲】
【請求項１】
中央部に開口を有する金属製のフロントと、このフロントの背面に当接する当接鍔部の前面に突設され、かつ、前記開口に嵌合する矩形枠状嵌合部を有する合成樹脂製のラッチガイド筒とから成る錠ケースのフロント部材に於いて、前記ラッチガイド筒の嵌合部の対向壁にそれぞれ細隙を形成し、これらの細隙が形成された対向壁の弾性復帰変形機能を有する細い縁部分に、前記開口の縁部に摺接係合する僅かな小係合爪を形成したことを特徴とする錠ケースのフロント部材。
【請求項２】
請求項１に於いて、当接鍔部６Ａの左右の縁部に、錠ケースＹの窓２２の左右縁部に形成した係合切欠２３，２３にそれぞれ係合する位置決め突起１４，１４を設けたことを特徴とする錠ケースのフロント部材。
【発明の詳細な説明】
【０００１】
【発明の属する技術分野】
本発明は、錠ケースのフロント部材に関し、特にラッチボルトを案内する錠前の錠ケースのフロント部材に適合する。
【０００２】
【従来の技術】
図９及び図１０に従来の一例を示す。Ｘは錠ケースのフロント部材で、このフロント部材Ｘは、金属製のフロント１と、合成樹脂製のラッチガイド筒２とから成る。フロント１は、錠ケースの取付け前板に添設される縦長の金属板（面座）である。このフロント１の中央部には、ラッチボルトが出入りする開口（窓）３が形成されている。またフロント１の上下端部には、固着具用の貫通孔４，４が形成されている。ラッチガイド筒２は、錠ケースの内部空間或いは支持枠内に嵌め込まれる筒状部５と、この筒状部の先端部に連設し、かつ、フロント１の背面に当接する当接鍔部６と、この当接鍔部の前面６ａに突設され、かつ、フロント１の開口３に嵌合する矩形枠状の嵌合部７とから成る。
【０００３】
そして、前記嵌合部７の上下の対向壁７ａ，７ｂには、前記開口３の上下縁部３ａ，３ｂにそれぞれ圧接係合する僅かな小係合爪８ａ，８ｂが形成されている。また、前記筒状部５の左右の部位には、ラッチボルトの軸方向に切欠部９，９が形成されている。
【０００４】
上記構成のフロント部材Ｘは、フロント１の背面側から該フロントの開口３にラッチガイド筒２の嵌合部７を合わせて適宜に押込むと、いわゆるワンタッチ式に小係合爪８ａ，８ｂが上下縁部３ａ，３ｂに係合し、フロント部材Ｘが直ちに出来上がる。したがって、カシメ等の工程が不要であることから、フロント１とラッチガイド筒２との結合が極めて簡単であるという利点がある。
【０００５】
しかしながら、前記僅かな小係合爪８ａ，８ｂは、開口３の上下縁部３ａ，３ｂにそれぞれ若干圧接係合する程度なので、運搬中にラッチガイド筒２がフロント１から容易に外れるという欠点があった。また、錠ケースの取付け前板の前面に対する上下方向の位置決めも容易でないという欠点もあった。さらに、筒状部５の左右の部位に切欠部９，９が形成されているので、ラッチガイド筒２が強靭でないという欠点もあった。
【０００６】
【発明が解決しようとする課題】
本発明の第１の目的は、従来の一例の利点を生かしつつ、運搬中にラッチガイド筒がフロントから容易に外れないようにすることである。第２の目的は、錠ケースの取付け前板の前面にフロント部材を簡単に位置決め状態に添設することができることである。これによりフロント部材を素早く錠ケースの取付け前板の前面に固着することができる。
【０００７】
【課題を解決するための手段】
本発明の錠ケースのフロント部材は、中央部に開口を有する金属製のフロントと、このフロントの背面に当接する当接鍔部の前面に突設され、かつ、前記開口に嵌合する矩形枠状嵌合部を有する合成樹脂製のラッチガイド筒とから成る錠ケースのフロント部材に於いて、前記ラッチガイド筒の嵌合部の対向壁にそれぞれ細隙を形成し、これらの細隙が形成された対向壁の弾性復帰変形機能を有する細い縁部分に、前記開口の縁部に摺接係合する僅かな小係合爪を形成したことを特徴とする。
【０００８】
【発明の実施の形態】
図１乃至図８を参照にして本発明の一実施例を説明する。なお、本発明は、従来の一実施例を改良したものであるから、説明の便宜上、同一の構成部分には同一又は同様の符号を付し、重複する説明を割愛する。
Ｘ１は錠ケースＹのフロント部材、１Ａはフロント、２Ａはラッチガイド筒である。
【０００９】
まずフロント１Ａについて簡単に説明する。３は開口、３ａ，３ｂは上下縁部、４，４は固着具用貫通孔である。次にラッチガイド筒２Ａついて簡単に説明する。５Ａは筒状部、６Ａはフロントの背面に当接する当接鍔部、６ａは当接鍔部の前面、７Ａは矩形枠状の嵌合部、７ａ，７ｂは嵌合部７の上下の対向壁である。
【００１０】
しかして、従来の一例と異なる構成は、（１）ラッチガイド筒２Ａの嵌合部７Ａの上下対向壁７ａ，７ｂに、それぞれ細隙（スリット）１１，１１を形成した点、（２）これらの細隙１１，１１が形成された上下対向壁７ａ，７ｂの弾性復帰変形機能を有する細い縁部分１２，１２に、フロント１Ａの開口３の上下縁部３ａ，３ｂにそれぞれ摺接係合する僅かな小係合爪８Ａ，８Ｂを形成した点、（３）角型筒状部５Ａに切欠部を形成しない反面、例えばその対向壁としての上下壁５ａ，５ｂにラッチボルトの軸方向に複数本の補強リブ１３を形成した点、（４）当接鍔部６Ａの左右の中央縁部に錠ケースＹの取付け前板２１の窓（開口）２２の左右縁部に形成した係合切欠２３，２３にそれぞれ係合する位置決め突起１４，１４を設けた点である。
【００１１】
上記構成に於いて、まず、図５で示すように、フロント１Ａの背面側から、該フロントの開口３の下方縁部３ｂにラッチガイド筒２Ａの嵌合部７Ａの下方対向壁７ｂ及び小係合爪８Ｂをあてがうようにする。そして、そのまま指で筒状部５Ａを矢印Ａ方向（フロント側）に押込む。
【００１２】
そうすると、上方対向壁７ａの小係合爪８Ａは、開口３の上方縁部３ａに圧接するので、上方の細い縁部分１２は、材質自体の弾性力に抗して多少押し下げられ（弾性変形）、前記小係合爪８Ａが開口３を僅かながら通過すると、直ちに弾性復帰して開口３の上方縁部３ａに摺接係合する（弾性復帰変形機能）。この時、ラッチガイド筒２Ａの嵌合部７Ａは、フロント１Ａの開口３にぴったりと嵌合すると共に、上下の小係合爪８Ａ，８Ｂは開口３の上下縁部３ａ，３ｂにそれぞれ係合状態となる。
【００１３】
図６はフロント１Ａの開口３にラッチガイド筒２Ａの嵌合部７Ａがぴったりと嵌合し、フロント部材Ｘ１が出来上がった状態を示す。
【００１４】
次に、図７で示すように、フロント部材Ｘ１は、錠ケースＹの取付け前板２１の前面に添設状態（カバー状態）に取付けられる訳であるが、この場合に於いて、フロント部材Ｘ１の位置決め突起１４，１４を取付け前板２１の係合切欠２３，２３に嵌める。
【００１５】
そうすると、フロント部材Ｘ１は、錠ケースＹに取付け前板２１を介して位置決めされた状態で係合支持されるから、そのまま固着具２５，２５を介して錠ケースＹに取付け前板２１に固着可能となる。図８は実施の環境を示す概略断面説明図で、符号２６はラッチボルト、２７はラッチバネである。
【００１６】
なお、ここで「位置決め」とは、錠ケースの内部構造又は錠ケースＹに内装された各部材との関係で、フロント部材Ｘ１の筒状部５Ａが錠ケースＹの上下方向の位置に於いて、所定位置にセットされることを言う。
【００１７】
【実施例】
本実施例に於いて、細隙１１，１１は、ラッチガイド筒２Ａの嵌合部７Ａの上下対向壁７ａ，７ｂにそれぞれ細隙を形成されているが、嵌合部７Ａの左右対向壁に形成しても良い。この場合には、弾性復帰変形機能を有する細い縁部分は、前記左右対向壁に存在することになるから、僅かな小係合爪８Ａ、８Ｂも前記左右の細い縁部分に突設される。
【００１８】
【発明の効果】
以上の説明から明らかなように、本発明にあっては、次に列挙するような効果がある。
（１）フロント１Ａの背面側から、該フロントの開口３にラッチガイド筒２Ａの嵌合部７Ａを合わせて適宜に押込むと、いわゆるワンタッチ式に小係合爪８Ａ，８Ｂが開口３の上下縁部３ａ，３ｂに係合する。したがって、直ちにフロント部材Ｘが出来上がる。
（２）ラッチガイド筒２Ａの嵌合部７Ａの対向壁７ａ，７ｂにそれぞれ細隙１１，１１を形成したので、これらの細隙が形成された嵌合部の対向壁の細い縁部分１２，１２は、材質自体により、弾性復帰変形機能を有する。したがって、フロント１Ａの背面側から、ラッチガイド筒２Ａを押込んでフロント１Ａの開口３に嵌め合わせた場合であっても、前記細い縁部分１２，１２の小係合爪８Ａ，８Ｂは、フロント１Ａの開口３の上下縁部或いは左右縁部に確実に係合する。それ故に、運搬中にラッチガイド筒がフロントから容易に外れない。
（３）請求項２に記載の発明は、錠ケースＹの取付け前板２１の前面にフロント部材１Ａを簡単に位置決め状態に添設することができる。したがって、フロント部材１Ａを素早く錠ケースに固着することができるのみならず、錠ケースの内部構造又は錠ケースに内装された各部材との関係で、フロント部材Ｘ１の筒状部５Ａが錠ケースの上下方向の位置に於いて、所定位置にセットされる。
【図面の簡単な説明】
図１乃至図８は本発明の一実施例を示す各説明図。図９及び図１０は従来の一例を示す概略説明図。
【図１】フロント部材の分解斜視図。
【図２】ラッチガイド筒の平面からの説明図。
【図３】図１の３−３線拡大断面図。
【図４】ラッチガイド筒の背面からの説明図。
【図５】フロントにラッチガイド筒を取付ける場合の概略説明図。
【図６】フロント部材の結合説明図。
【図７】フロント部材を錠ケースに添設する場合の概略説明図。
【図８】実施の環境を示す概略断面説明図。
【図９】従来のフロント部材の分解斜視図。
【図１０】図９に於いて、フロント部材の結合説明図。
【符号の説明】
Ｘ…フロント部材、１Ａ…フロント、２Ａ…ラッチガイド筒、３…開口、５Ａ…筒状部、６Ａ…当接鍔部、７Ａ…嵌合部、７ａ，７ｂ…対向壁、８Ａ，８Ｂ…小係合爪、１１…細隙、１２…細い縁部分、１４…位置決め突起。
【図１】
2004339735.tif 000003
【図２】
2004339735.tif 000004
【図３】
2004339735.tif 000005
【図４】
2004339735.tif 000006
【図５】
2004339735.tif 000007
【図６】
2004339735.tif 000008
【図７】
2004339735.tif 000009
【図８】
2004339735.tif 000010
【図９】
2004339735.tif 000011
【図１０】
2004339735.tif 000012